(57)【要約】【課題】環境に合わせて信頼性の高い送信回数を確実に決定することができる照明制御システムを提供する。【解決手段】照明制御システムは、無線部で受信した制御信号に応じて光源部の動作状態が制御される複数の照明器具と、複数の照明器具に対して制御信号および応答確認信号を送信可能であるとともに、応答確認信号の受信に応じて複数の照明器具からそれぞれ送信される応答信号を受信可能であるコントローラとを備える。コントローラは、応答確認信号を全ての照明器具に対して所定回数だけ送信し（Ｓ１４）、各照明器具からの応答信号の受信回数をそれぞれカウントして記憶し（Ｓ１６）、応答確認信号の送信回数と応答信号の受信回数とに基づいて通常時の制御信号送信回数を決定する（Ｓ１８）。【選択図】図３
2019071257.tif 000002
【特許請求の範囲】
【請求項１】
無線部および光源部を有し、前記無線部で受信した制御信号に応じて前記光源部の動作状態が制御される複数の照明器具と、
前記複数の照明器具に対して制御信号および応答確認信号を送信可能であるとともに、前記応答確認信号の受信に応じて前記複数の照明器具からそれぞれ送信される応答信号を受信可能であるコントローラと、を備え、
前記コントローラは、
前記応答確認信号を全ての照明器具に対して所定回数だけ送信し、
各照明器具からの応答信号の受信回数をそれぞれカウントして記憶し、
前記応答確認信号の送信回数と前記応答信号の受信回数とに基づいて通常時の制御信号送信回数を決定する、
照明制御システム。
【請求項２】
前記コントローラは、
前記複数の照明器具のうち所定条件を満たす照明器具を、応答設定される照明器具として特定し、
前記応答設定された照明器具に対して前回決定された信号送信回数よりも少なくした回数で応答確認信号を送信し、
前記応答設定された照明器具からの応答信号の受信回数をカウントして記憶し、
前記応答設定された全ての照明器具について、応答信号の受信回数が前記応答確認信号の送信回数に等しい場合、前記少なくした回数を通常時の制御信号送信回数として決定する、
請求項１に記載の照明制御システム。
【請求項３】
前記コントローラは、前記応答信号の受信回数が前記応答確認信号の送信回数より少ない場合には、前記応答確認信号の送信回数を増やして、応答設定された全ての照明器具について、応答信号の受信回数が前記応答確認信号の送信回数に等しくなるまで同様の処理を行う、請求項２に記載の照明制御システム。
【請求項４】
前記所定条件は、前記応答信号の受信回数が所定の回数閾値以下である、請求項２または３に記載の照明制御システム。
【請求項５】
前記コントローラは、前記応答確認信号と共に受信強度確認信号を送信し、前記受信強度確認信号に応じて各照明器具から送信される受信強度のうち最低受信強度を各照明器具ごとに記憶し、
前記所定条件は前記最低受信強度が所定の強度閾値未満であることであり、前記コントローラは、前記最低受信強度が所定の強度閾値未満である照明器具を、応答設定する照明器具として特定する、請求項２に記載の照明制御システム。
【請求項６】
前記コントローラは、前記応答確認信号の送信回数を前記複数の照明器具における最小受信回数で除した値に安全係数を乗じた値を、前記通常時の制御信号送信回数として決定する、請求項１〜５のいずれか一項に記載の照明制御システム。
【請求項７】
前記安全係数は２〜５の範囲の値である、請求項６に記載の照明制御システム。
【発明の詳細な説明】
【技術分野】
【０００１】
本開示は、照明制御システムに関する。
【背景技術】
【０００２】
従来、特許文献１には、温度上昇による周波数ズレに対して照明器具の受信強度を確認し、コントローラの送信回数を増やして通信精度を上げるという照明制御システムが提案されている。
【先行技術文献】
【特許文献】
【０００３】
【特許文献１】特開２００４−２６５７９３号公報
【発明の概要】
【発明が解決しようとする課題】
【０００４】
特許文献１に記載される照明制御システムでは、受信強度毎に対応付けられた送信回数を設定するだけで環境に合わせて信頼性の高い送信回数を確実に決定することが難しいという問題がある。また送信回数を増やすのみで、送信回数を減らすことができない。
【０００５】
本開示の目的は、コントローラから全照明器具に送られる応答確認信号の送信回数と照明器具の応答信号の受信回数とに基づいて、環境に合わせて信頼性の高い送信回数を確実に決定することができる照明制御システムを提供することである。
【課題を解決するための手段】
【０００６】
本開示に係る照明制御システムは、無線部および光源部を有し、前記無線部で受信した制御信号に応じて前記光源部の動作状態が制御される複数の照明器具と、前記複数の照明器具に対して制御信号および応答確認信号を送信可能であるとともに、前記応答確認信号の受信に応じて前記複数の照明器具からそれぞれ送信される応答信号を受信可能であるコントローラと、を備える。そして、前記コントローラは、前記応答確認信号を全ての照明器具に対して所定回数だけ送信し、各照明器具からの応答信号の受信回数をそれぞれカウントして記憶し、前記応答確認信号の送信回数と前記応答信号の受信回数とに基づいて通常時の制御信号送信回数を決定する。
【発明の効果】
【０００７】
本開示に係る照明制御システムによれば、コントローラから全照明器具に送られる応答確認信号の送信回数と各照明器具の応答信号の受信回数とに基づいて、環境に合わせて信頼性の高い送信回数を確実に決定することができる。
【図面の簡単な説明】
【０００８】
【図１】本開示の第１実施形態である照明制御システムの概略構成図である。
【図２】照明制御システムに含まれるコントローラと１つの照明器具とを示すブロック図である。
【図３】電源起動時または更新ボタン押下時にコントローラで実行される処理を示すフローチャートである。
【図４】図３の処理の結果を示すテーブルと、制御信号送信回数の決定に用いる式を示す図である。
【図５】照明器具への制御信号送信前にコントローラにおいて実行される処理を示すフローチャートである。
【図６】本開示の第２実施形態の照明制御システムにおいて、電源起動時または更新ボタン押下時にコントローラで実行される処理を示すフローチャートである。
【図７】図６に示す処理の結果を示すテーブルを示す図である。
【発明を実施するための形態】
【０００９】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１０】
図１は、第１実施形態の照明制御システム１０の概略構成図である。図１に示すように、照明制御システム１０は、コントローラＣと、複数の照明器具Ｌ１，Ｌ２，・・・，Ｌｎとを備える。コントローラＣは、例えば、オフィス、工場、倉庫等の施設内に設置されている。各照明器具Ｌ１，Ｌ２，・・・，Ｌｎは、上記施設の天井や壁などに設置される。ここで、本実施形態における「ｎ」は、３以上の整数であるが、２以上であれば良い。
【００１１】
コントローラＣは、各照明器具Ｌ１，Ｌ２，・・・，Ｌｎの動作状態を制御するための制御信号を送信する。上記動作状態には、点灯、消灯、調光、調色等が含まれる。各照明器具Ｌ１，Ｌ２，・・・，Ｌｎは、同一構成を有することができる。そのため、以下では各照明器具を区別しない場合には、「照明器具Ｌ」という。
【００１２】
図２は、照明制御システム１０に含まれるコントローラＣと１つの照明器具Ｌとを示すブロック図である。
【００１３】
図２に示すように、コントローラＣは、操作部１２、制御部１４、メモリ１６、無線部１８、および、アンテナ２０を備える。また、コントローラＣは、タイマ２１を備えてもよい。
【００１４】
操作部１２は、コントローラＣの電源起動を行うための電源スイッチを含んでもよい。また、操作部１２は、コントローラＣの動作状態（例えば、電源オン状態、電波送受信状態など）を示す表示パネルや発光部を含んでもよい。さらに、操作部１２は、更新ボタン１３を有する。更新ボタン１３は、例えば、機械的構成の押しボタンスイッチで構成されてもよいし、タッチパネル式の表示パネルに表示される操作ボタンであってもよい。更新ボタン１３が押下されると、図３等に示す処理が実行される。この処理については後述する。
【００１５】
制御部１４は、メモリ１６に記憶されたプログラム等を読み出して実行するＣＰＵ（Ｃｅｎｔｒａｌ  Ｐｒｏｃｅｓｓｉｎｇ  Ｕｎｉｔ）などを含むマイクロコンピュータによって好適に構成される。
【００１６】
メモリ１６は、例えば、ＲＡＭ、ＲＯＭ、フラッシュメモリなどの記憶部である。メモリ１６には、後述する処理を実行するためのプログラムが予め記憶されている。なお、プログラムは、後述するアンテナ２０および無線部１８による通信によってコントローラＣの設置後に更新または変更されてもよい。
【００１７】
コントローラＣにおいて、照明器具Ｌの動作状態を制御する制御信号は、制御部１４によって生成されてもよいし、あるいは、外部機器からアンテナ２０および無線部１８を介して受信した制御信号を中継して照明器具Ｌに送信してもよい。ここで、外部機器には、壁設置型スイッチ、携帯型スイッチ（リモートコントローラ、スマートフォン、タブレット等）であってもよい。また、制御部１４は、後述する処理に用いる応答確認信号、受信強度確認信号等の信号を生成する機能をする。
【００１８】
無線部１８は、上記の制御信号、応答確認信号、受信強度確認信号等を無線信号に変換してアンテナ２０に出力する機能、および、アンテナ２０によって受信した電波から応答信号や受信強度信号を抽出して制御部１４へ出力する機能を有する。
【００１９】
アンテナ２０は、照明機器Ｌ等との間で信号を無線通信によって送受信する機能を有する。アンテナ２０には、例えば、ダイバーシティアンテナを好適に用いることができる。
【００２０】
図２に示すように、照明器具Ｌは、アンテナ２２、無線部２４、制御部２６、メモリ２８、点灯回路３０、および、光源部３２を備える。
【００２１】
アンテナ２２は、コントローラＣとの間で、無線通信によって信号を送受信する機能を有する。アンテナ２２には、例えば、逆Ｆ型アンテナ、チップアンテナ等を好適に用いることができる。
【００２２】
無線部２４は、アンテナ２２で受信した無線信号から制御信号、応答確認信号、受信強度確認信号を抽出して、制御部２６に出力する機能を有する。また、無線部２４は、制御部２６から入力される応答信号や受信強度信号などを無線信号に変換して、アンテナ２２に出力する機能を有する。
【００２３】
制御部２６は、コントローラＣから送信された制御信号に応じて、光源部３２に電力供給する点灯回路３０のための駆動信号を生成して出力する。メモリ２８は、照明器具Ｌの動作状態の制御に必要なプログラムやデータを予め記憶する記憶部である。なお、制御部２６およびメモリ２８は、コントローラＣで説明したものとほぼ同様に構成することができる。
【００２４】
点灯回路３０は、照明器具Ｌの外部から電力線等によって供給された電力を光源部３２に供給する機能を有する。外部から供給される電力が商用交流電力であって、光源部が後述するようにＬＥＤ光源である場合、点灯回路３０は交流電力を直流電力に変換するＡＣ／ＤＣコンバータを含むのが好適である。
【００２５】
光源部３２は、例えば、ＬＥＤ（Ｌｉｇｈｔ  Ｅｍｉｔｔｉｎｇ  Ｄｉｏｄｅ）等の発光素子を含んで構成される。光源部３２は、点灯回路３０から電力が供給されると点灯し、該電力が遮断されると消灯する。また、点灯回路３０は、制御部２６からの駆動信号に応じて光源部３２に供給する電力を調整することができ、これにより光源部３２の光強度を調節（すなわち調光）することができる。
【００２６】
なお、光源部３２を構成する発光素子は、ＬＥＤに限定されるものではなく、例えば、蛍光灯、有機ＥＬ（Ｅｌｅｃｔｒｏ  Ｌｕｍｉｎｅｓｃｅｎｃｅ）もしくは無機ＥＬなどのＥＬ素子、あるいは、半導体レーザ素子などであってもよい。
【００２７】
次に、図３を参照して、コントローラＣの制御部１４において実行される処理について説明する。図３は、電源起動時または更新ボタン押下時にコントローラで実行される処理を示すフローチャートである。
【００２８】
図３に示すように、制御部１４は、まずステップＳ１０において、電源起動されたか否かを判定する。ここで否定判定されると（ステップＳ１０でＮＯ）、制御部１４は、続くステップＳ１２において、更新ボタン１３が押下されたか否かを判定する。ここで否定判定されると（ステップＳ１２でＮＯ）、そのまま処理を終了し（エンド処理）、通常動作に移行する。この場合の通常動作では、初期設定された回数、または、前回処理で決定された回数で、制御信号が送信されることになる。
【００２９】
制御部１４は、上記ステップＳ１０またはＳ１２で肯定判定されたとき、すなわち、コントローラＣの電源起動時であるか又は更新ボタンが押下されたとき、ステップＳ１４に移行する。
【００３０】
制御部１４は、ステップＳ１４において、全ての照明器具Ｌ１，Ｌ２，・・・，Ｌｎに対して応答確認信号を所定回数だけ送信する。この送信は、制御部１４の指令に応じて無線部１８およびアンテナ２０を介して行われる。ここで応答確認信号とは、この信号を受信した照明器具Ｌに、応答確認信号を受信したことを知らせる応答信号をコントローラＣへ返信させる指令信号である。
【００３１】
各照明器具Ｌ１，Ｌ２，・・・，Ｌｎは、上記応答確認信号を受信するごとに、応答信号をコントローラＣに送信する。この応答信号には、各照明器具Ｌ１，Ｌ２，・・・，Ｌｎを識別するためのＩＤ（Ｉｄｅｎｔｉｆｉｃａｔｉｏｎ）情報も含まれる。したがって、コントローラＣの制御部１４は、アンテナ２０で受信した応答信号が照明器具Ｌ１，Ｌ２，・・・，Ｌｎのうちのどの照明器具から送られた信号であるかを判別することができる。
【００３２】
次に、制御部１４は、続くステップＳ１６において、各照明器具Ｌ１，Ｌ２，・・・，Ｌｎから送信された応答信号を受信した回数（以下、「応答回数」という）を照明器具ごとにそれぞれカウントして記憶する。
【００３３】
そして、制御部１４は、続くステップＳ１８において、応答確認信号の送信回数と、各照明器具Ｌ１，Ｌ２，・・・，Ｌｎの応答回数とに基づいて、通常時の制御信号送信回数を決定する。この決定の仕方を、図４を参照して説明する。
【００３４】
図４は、図３の処理の結果を示すテーブルと、制御信号送信回数の決定に用いる式を示す図である。図４では、コントローラＣから各照明器具Ｌ１，Ｌ２，・・・，Ｌｎに応答確認信号が１００回送信された例を示す。また、図４では、照明器具が５台（すなわちＬ１，Ｌ２，Ｌ３，Ｌ４，Ｌ５）である場合を例示する。
【００３５】
図４に示すように、この例では、照明器具Ｌ１の応答回数が１００回、照明器具Ｌ２の応答回数が８３回、照明器具Ｌ３の応答回数が３０回、照明器具Ｌ４の応答回数が５４回、照明器具Ｌ５の応答回数が２５回となっている。この場合、制御部１４は、図４に示す式を用いて、通常時の制御信号送信回数Ｎを決定する。
【００３６】
より詳しくは、応答確認信号の送信回数を複数の照明器具における最小受信回数で除した値に安全係数を乗じた値を、通常時の制御信号送信回数Ｎとして決定する。この場合、最小応答回数は照明器具Ｌ５の２５回であるから、制御信号送信回数Ｎは、応答確認信号の送信回数１００回を２５回で除した値である「４」に、安全係数「３」を乗じた値、すなわち１２回に決定される。
【００３７】
なお、上記においては、安全係数「３」である例について説明したが、これに限定されるものではない。安全係数は、２〜５の範囲の値で適宜に設定されてもよい。
【００３８】
上述したように、本実施形態の照明制御システムは、無線部１８および光源部３２を有し、無線部１８で受信した制御信号に応じて光源部３２の動作状態が制御される複数の照明器具Ｌ１，Ｌ２，・・・，Ｌｎと、複数の照明器具Ｌ１，Ｌ２，・・・，Ｌｎに対して制御信号および応答確認信号を送信可能であるとともに、応答確認信号の受信に応じて複数の照明器具Ｌ１，Ｌ２，・・・，Ｌｎからそれぞれ送信される応答信号を受信可能であるコントローラＣとを備える。コントローラＣは、応答確認信号を全ての照明器具Ｌ１，Ｌ２，・・・，Ｌｎに対して所定回数だけ送信し、各照明器具Ｌ１，Ｌ２，・・・，Ｌｎからの応答信号の受信回数をそれぞれカウントして記憶する。そして、コントローラＣは、応答確認信号の送信回数と応答信号の受信回数とに基づいて通常時の制御信号送信回数Ｎを決定する。
【００３９】
この構成によれば、コントローラＣから全照明器具Ｌ１，Ｌ２，・・・，Ｌｎに送られる応答確認信号の送信回数と照明器具Ｌ１，Ｌ２，・・・，Ｌｎの応答信号の受信回数とに基づいて、環境に合わせて信頼性の高い送信回数を確実に決定することができる。
【００４０】
また、制御信号送信回数Ｎが必要以上に多くなるとその送信完了に時間を要することになるため、その間は同じ周波数帯を使用する他の無線機器の通信障害となるおそれがある。これに対し、本実施形態によれば、制御信号送信回数の低減による送信時間短縮を図れるので、他の無線機器の通信障害を抑制することができる。
【００４１】
また、本実施形態の照明制御システムにおいて、コントローラＣは、応答確認信号の送信回数を複数の照明器具Ｌ１，Ｌ２，・・・，Ｌｎにおける最小受信回数で除した値に安全係数を乗じた値を、通常時の制御信号送信回数Ｎとして決定するのが好ましい。これにより、通常時の制御信号送信回数Ｎを、環境に合わせて各照明器具Ｌ１，Ｌ２，・・・，Ｌｎを確実に動作制御できる送信回数に設定することができる。
【００４２】
この場合、安全係数は２〜５の範囲の値とすることができる。このように安全係数を設定することで、各照明器具の動作制御をより確実なものにできる。
【００４３】
次に、図５を参照して、コントローラＣの制御部１４において実行される別の処理について説明する。図５は、照明器具への制御信号送信前にコントローラＣにおいて実行される処理を示すフローチャートである。図５に示す処理は、例えば、各照明器具Ｌ１，Ｌ２，・・・，Ｌｎを点灯、消灯、または、調光させる制御信号を送信する直前に、制御部１４において実行される。
【００４４】
図５に示すように、制御部１４は、まずステップＳ２０において、応答設定される照明器具を特定する。ここでは、制御部１４は、図３および図４を参照して上述した処理において、応答信号の受信回数が所定の回数閾値以下であった照明器具を、応答設定された照明器具として特定する。具体的には、図４に示す例では、応答回数が３０回以下である照明器具Ｌ３およびＬ５が応答設定される。ここで、「応答設定」とは、全ての照明器具のうち特定の照明器具についてだけ応答確認を行うように設定することをいい、応答確認信号（および／または受信強度確認信号）に特定の照明器具のＩＤ情報を含ませることによって設定することができる。
【００４５】
このように全照明器具のうち応答回数が所定の回数閾値以下である照明器具を特定して（すなわち絞り込んで）、それ以後の制御信号送信回数の調整処理を行うことで、処理負担が軽くなり短時間で処理を完了できる利点がある。
【００４６】
次に、制御部１４は、続くステップＳ２２において、応答設定された照明器具Ｌ３，Ｌ５に前回決定された送信回数Ｎよりも少ない回数で応答確認信号を送信する。具体例として、制御部１４は、前回の電源起動時または更新ボタン押下時に図３および図４の処理で決定された送信回数Ｎ＝１２回よりも１回少ない回数＝１１回で、照明器具Ｌ３，Ｌ５に応答確認信号を送信する。
【００４７】
次に、制御部１４は、続くステップＳ２４において、各照明器具Ｌ３，Ｌ５の応答回数をそれぞれカウントして記憶する。そして、制御部１４は、続くステップＳ２６において、各照明器具Ｌ３，Ｌ５の応答回数が、今回の応答確認信号の送信回数Ｎ＝１１回に等しいか否かを判定する。換言すれば、ここでは各照明器具Ｌ３，Ｌ５が全応答確認信号に対して応答信号を送信した否かを判定する。このステップＳ２６において肯定判定されたとき（ステップＳ２６でＹＥＳ）、制御部１４は、続くステップＳ３０において、今回の応答確認信号の送信回数Ｎ＝１１回を通常時の制御信号送信回数として決定し、処理を終了する（エンド処理）。
【００４８】
他方、上記ステップＳ２６において否定判定されたとき（ステップＳ２６でＮＯ）、制御部１４は、続くステップＳ２８において、送信回数Ｎを増やして応答確認信号を再度送信する。この例では、送信回数Ｎを１回増やして１２回として、応答確認信号を再度送信する。そして、制御部１４は、上述したステップＳ２４およびＳ２６を同様に実行し、応答設定された照明器具Ｌ３，Ｌ５が全ての応答確認信号に対応して応答信号を送信したか否かを判定する。このステップＳ２６で肯定判定されると信号送信回数Ｎを１２回に決定して処理を終了する。他方、ステップＳ２６で否定判定されると、ステップＳ２８で応答確認信号を更に１回増やして１３回として、ステップＳ２４およびＳ２６を繰り返し実行する。このようにして応答設定された照明器具Ｌ３，Ｌ５が全ての応答確認信号に対して応答信号を送信したことを確認できるまで継続して、信号送信回数Ｎを決定する。
【００４９】
このように本実施形態の照明制御システム１０によれば、コントローラＣは、複数の照明器具Ｌ１〜Ｌ５のうち所定条件を満たす照明器具Ｌ３，Ｌ５を、応答設定される照明器具として特定し、応答設定された照明器具Ｌ３，Ｌ５に対して前回決定された信号送信回数Ｎ＝１２回よりも少なくした回数＝１１回で応答確認信号を送信する。そして、コントローラＣは、応答設定された照明器具Ｌ３，Ｌ５からの応答信号の受信回数をカウントして記憶し、応答設定された全ての照明器具Ｌ３，Ｌ５について、応答信号の受信回数が前記応答確認信号の送信回数に等しい場合、少なくした回数＝１１回を通常時の制御信号送信回数Ｎとして決定する。
【００５０】
他方、コントローラＣは、応答信号の受信回数が応答確認信号の送信回数Ｎ＝１１回より少ない場合には、応答確認信号の送信回数Ｎ＝１１回を１回増やして１２回とし、応答設定された全ての照明器具について、応答信号の受信回数が前記応答確認信号の送信回数に等しくなるまで同様の処理を行う。
【００５１】
このようにコントローラＣは、制御信号送信前に、制御信号送信回数Ｎを調整する処理を実行することで、その時々の通信環境に適した送信回数Ｎに設定することができ、各照明器具についてより安定した動作制御が可能になる。
【００５２】
なお、上記では、送信回数Ｎを１回ずつ増減させる例について説明したが、これに限定されるものではなく、例えば、２回以上の複数回ずつ増減させてもよい。
【００５３】
次に、図６および図７を参照して、本開示の第２実施形態である照明制御システムについて説明する。第２実施形態の照明制御システムは、コントローラＣの制御部１４における処理内容の一部が上記第１実施形態と相違する。そのため、以下ではその相違点のみについて主として説明し、同一の構成要素に同一の参照符号を付して説明を省略する。
【００５４】
図６は、本開示の第２実施形態の照明制御システムにおいて、電源起動時または更新ボタン押下時にコントローラＣで実行される処理を示すフローチャートである。図６に示す処理は、図３を参照して上述した処理とステップＳ１０，Ｓ１２、および、Ｓ１８が同じであり、ステップＳ１５およびＳ１７が相違する。
【００５５】
図６に示すように、コントローラＣの制御部１４は、ステップＳ１０またはＳ１２で肯定判定されたとき、続くステップＳ１５において、全ての照明器具Ｌ１，Ｌ２，・・・，Ｌｎに対して応答確認信号および受信強度確認信号を所定回数だけ送信する。すなわち、本実施形態では、制御部１４は、応答確認信号に加えて受信強度確認信号を所定回数だけ送信する。ここで受信確認信号とは、この信号を受信した照明器具Ｌに、受信強度を示す信号をコントローラＣへ返信させる指令信号である。
【００５６】
各照明器具Ｌ１，Ｌ２，・・・，Ｌｎは、上記応答確認信号および受信強度確認信号を受信するごとに、応答信号および受信強度信号をコントローラＣに送信する。この応答信号および受信強度信号には、各照明器具Ｌ１，Ｌ２，・・・，Ｌｎを識別するためのＩＤ情報も含まれる。したがって、コントローラＣの制御部１４は、アンテナ２０で受信した応答信号および受信強度信号が照明器具Ｌ１，Ｌ２，・・・，Ｌｎのうちのどの照明器具から送られた信号であるかを判別することができる。
【００５７】
次に、制御部１４は、続くステップＳ１７において、各照明器具Ｌ１，Ｌ２，・・・，Ｌｎから送信された受信強度をそれぞれ記憶する。このとき、制御部１４は、各照明器具Ｌ１，Ｌ２，・・・，Ｌｎについて最低受信強度を更新しながら記憶する。
【００５８】
そして、制御部１４は、第１実施形態の場合と同様に、続くステップＳ１８において、応答確認信号の送信回数と、各照明器具Ｌ１，Ｌ２，・・・，Ｌｎの応答回数とに基づいて、通常時の制御信号送信回数を決定する。
【００５９】
図７は、図６に示す処理の結果を示すテーブルを示す図である。図７に示すように、この例では、照明器具Ｌ１の応答回数が１００回、照明器具Ｌ２の応答回数が８３回、照明器具Ｌ３の応答回数が４８回、照明器具Ｌ４の応答回数が５４回、照明器具Ｌ５の応答回数が２５回となっている。また、この例では、照明器具Ｌ１〜Ｌ５の最低受信強度が、それぞれ、−２０ｄＢ、−３２ｄＢ、−８７ｄＢ、−６５ｄＢ、−９３ｄＢになっている。
【００６０】
ここで、本実施形態の照明制御システムでは、各照明器具Ｌ１〜Ｌ５の最低受信強度を、応答設定される照明器具を特定するための所定条件として用いる。具体的には、所定の強度閾値として例えば−８０ｄＢがメモリ１６に記憶されており、最低受信強度が−８０ｄＢ未満である照明器具Ｌ３およびＬ５が、応答設定された照明器具となる。そして、第２実施形態の照明制御システムにおいて、図５に示す処理（すなわち制御信号送信前の調整処理）が実行されるとき、ステップＳ２０において、上記のように所定の強度閾値未満の最低受信強度であった照明器具Ｌ３およびＬ５が、応答設定される照明器具として特定される。なお、それ以後の処理手順Ｓ２２〜Ｓ３０は、第１実施形態と同様である。
【００６１】
上述したように、本実施形態では、コントローラＣは、応答確認信号と共に受信強度確認信号を送信し、受信強度確認信号に応じて各照明器具Ｌ１，Ｌ２，・・・，Ｌｎから送信される受信強度のうち最低受信強度を各照明器具ごとに記憶する。そして、照明器具が応答設定される所定条件は最低受信強度が所定の強度閾値未満であることであり、コントローラＣは、最低受信強度が所定の強度閾値未満（例えば、−８０ｄＢ）である照明器具を、応答設定する照明器具として特定する。
【００６２】
このように、最低受信強度が所定の強度閾値未満の照明器具を、応答設定される照明器具として特定して、通常時の制御信号送信回数Ｎを調整する処理を制御信号送信前ごとに実行することで、その時々の通信環境に適した送信回数Ｎに設定することができ、各照明器具についてより安定した動作制御が可能になる。
【００６３】
なお、本開示に係る照明制御システムは、上述した実施形態およびその変形例に限定されるものではなく、本願の特許請求の範囲に記載された事項の範囲内で種々の変更や改良が可能である。
【００６４】
例えば、図２に示すように、コントローラＣはタイマ２１を備えてもよい。この場合、タイマで計時を行い、所定時間が経過するごとに、あるいは、所定の時刻になったときに、図３におけるステップＳ１４、Ｓ１６およびＳ１８の処理を実行して、通常時の制御信号送信回数Ｎを決定してもよい。
【符号の説明】
【００６５】
１０  照明制御システム、１２  操作部、１３  更新ボタン、１４，２６  制御部、１６，２８  メモリ、１８，２４  無線部、２０，２２  アンテナ、２１  タイマ、３０  点灯回路、３２  光源部、Ｃ  コントローラ、Ｌ，Ｌ１，Ｌ２，・・・，Ｌｎ  照明器具、Ｎ  制御信号送信回数。
【図１】
2019071257.tif 000003
【図２】
2019071257.tif 000004
【図３】
2019071257.tif 000005
【図４】
2019071257.tif 000006
【図５】
2019071257.tif 000007
【図６】
2019071257.tif 000008
【図７】
2019071257.tif 000009